(57)【特許請求の範囲】
【請求項１】
省電力モードに移行可能であり、トナー像を形成する像形成手段を有する画像形成装置において、
前記省電力モードにおいて商用交流電源からの電力に基づいて直流電圧を発生する直流電源と、
前記像形成手段に設けられ、前記直流電源から給電されることにより発熱する第１のヒータと、
前記像形成手段により形成されるトナー像が転写されるべき記録紙を収納する収納手段と、
前記収納手段に設けられ、前記商用交流電源から給電されることにより発熱する第２のヒータと、
前記商用交流電源から前記第２のヒータへの交流電源ラインに設けられ、手動操作される第１スイッチと、
前記第１スイッチがオンされたことに基づいて、前記直流電源から前記第１のヒータへ給電状態にするとともに、前記商用交流電源から前記第２のヒータへ給電状態にし、前記第１スイッチがオフされたことに基づいて、前記第１ヒータ及び前記第２ヒータを非給電状態にする切替手段と、
を有することを特徴とする画像形成装置。
【請求項２】
省電力モードに移行可能であり、原稿の画像を読み取る読取手段と、トナー像を記録紙に形成する像形成手段を有する画像形成装置において、
前記省電力モードにおいて商用交流電源からの電力に基づいて直流電圧を発生する直流電源と、
前記像形成手段に設けられ、前記直流電源から給電されることにより発熱する第１のヒータと、
前記読取手段に設けられ、前記商用交流電源から給電されることにより発熱する第２のヒータと、
前記商用交流電源から前記第２のヒータへの交流電源ラインに設けられ、手動操作される第１スイッチと、
前記第１スイッチがオンされたことに基づいて、前記直流電源から前記第１のヒータへ給電状態にするとともに、前記商用交流電源から前記第２のヒータへ給電状態にし、前記第１スイッチがオフされたことに基づいて、前記第１ヒータ及び前記第２ヒータを非給電状態にする切替手段と、
を有することを特徴とする画像形成装置。
【請求項３】
前記交流電源ラインに設けられ、信号によりオンオフする第２スイッチを有し、
前記切替手段は、前記第１スイッチがオンされると、前記第２スイッチをオンする信号を出力することを特徴とする請求項１又は２に記載の画像形成装置。
【請求項４】
前記直流電源から前記第１のヒータへの直流電源ラインに設けられ、信号によりオンオフされる第３スイッチを有し、
前記切替手段は、前記第１スイッチがオンされると、前記第３スイッチをオンさせるための信号を出力することを特徴とする請求項１乃至３の何れか１項に記載の画像形成装置。
【請求項５】
前記第１のヒータは、前記切替手段とは独立して、温度に応じて通電と非通電を切り替える第１の温度制御手段を有することを特徴とする請求項１乃至４の何れか１項に記載の画像形成装置。
【請求項６】
前記第２のヒータは、温度に応じて通電と非通電を切り替える第２の温度制御手段を有することを特徴とする請求項１乃至５の何れか１項に記載の画像形成装置。
【請求項７】
前記画像形成装置が置かれている環境の温度及び湿度を検知する環境センサと、
前記第１スイッチがオン状態において、前記画像形成装置が前記省電力モードから復帰した後に、前記環境センサで検知される温度及び湿度が所定の範囲内であると、前記第１のヒータへの給電を停止させる制御手段と、
を有することを特徴とする請求項１乃至６の何れか１項に記載の画像形成装置。
【請求項８】
前記制御手段は、前記環境センサで検知される温度及び湿度が所定の範囲内であると、前記第２のヒータへの給電を停止させることを特徴とする請求項７記載の画像形成装置。
【発明の詳細な説明】
【技術分野】
【０００１】
本発明は、画像形成装置の環境ヒータの制御に関する。
【背景技術】
【０００２】
電子写真プロセスを有する画像形成装置においては、地域、季節によって生じる夜間および朝方の冷え込みや、オフィス始業開始後の空調設備による急激な室温上昇といった環境変動により生じる結露が、画像不良を生じさせることがある。
【０００３】
そのため、市場においては、サービスマンの判断、若しくは、ユーザーの要望に応じて、サービスマンにより設置された環境ヒータによって、ユーザー先で結露を防止する結露を防ぐ構成がなされてきた。なお、環境ヒータは手動スイッチにより有効／無効を切り替えることができる。このような環境ヒータとしては、ＡＣ電源が供給されるＡＣヒータが利用されている（特許文献１）。
【０００４】
近年、画像形成装置の更なる画質安定化と高寿命化が要求される中で、その要求を満たすためには、電子写真プロセスにおける特に感光ドラム周辺部の温度をより安定化させる必要がある。しかしながら、特許文献１における環境ヒータは、各々の販売地域で給電されるＡＣ商用電源の定格値の違いには対応しているが、ＡＣ商用電源の電圧の変動には対応できていない。そのため、商用交流電源の電圧の変動によりＡＣヒータの発熱量がばらつき、温度リップルの低減が困難という課題がある。
【０００５】
この課題に対して、環境ヒータとしてＡＣ商用電源から作成されるＤＣ電源を用いるＤＣヒータを、ＡＣヒータに代えて採用することが考えられる。
【先行技術文献】
【特許文献】
【０００６】
【特許文献１】特開２００９−２１６８２７号公報
【発明の概要】
【発明が解決しようとする課題】
【０００７】
環境ヒータの使用に関しては、画像形成装置が動作しない省電力モード中に動作することで、特に効果がある。しかしながら、環境ヒータを設置するべき個所が複数ある場合、複数のＤＣヒータを省電力モード中でも動作している制御回路用電源に接続した場合には、省電力モード以外（スタンバイや画像形成モード）において、制御ユニットの消費電力が増加する。そのため、制御ユニットの増加分と、ＤＣヒータの消費電力の合計を出力可能な高出力タイプの制御回路用電源を採用しなければならなくなり、省電力モード時の電力も増加させてしまうという課題が生じる。
【課題を解決するための手段】
【０００８】
上記の課題を解決するために、本発明の画像形成装置は、省電力モードに移行可能であり、トナー像を形成する像形成手段を有する画像形成装置において、前記省電力モードにおいて商用交流電源からの電力に基づいて直流電圧を発生する直流電源と、前記像形成手段に設けられ、前記直流電源から給電されることにより発熱する第１のヒータと、前記収納手段に設けられ、前記商用交流電源から給電されることにより発熱する第２のヒータと、前記商用交流電源から前記第２のヒータへの交流電源ラインに設けられ、手動操作される第１スイッチと、前記第１スイッチがオンされたことに基づいて、前記直流電源から前記第１のヒータへ給電状態にするとともに、前記商用交流電源から前記第２のヒータへ給電状態にし、前記第１スイッチがオフされたことに基づいて、前記第１ヒータ及び前記第２ヒータを非給電状態にする切替手段と、を有することを特徴とする。
また上記の課題を解決するために、本発明の画像形成装置は、省電力モードに移行可能であり、原稿の画像を読み取る読取手段と、トナー像を記録紙に形成する像形成手段を有する画像形成装置において、前記省電力モードにおいて商用交流電源からの電力に基づいて直流電圧を発生する直流電源と、前記像形成手段に設けられ、前記直流電源から給電されることにより発熱する第１のヒータと、前記読取手段に設けられ、前記商用交流電源から給電されることにより発熱する第２のヒータと、前記商用交流電源から前記第２のヒータへの交流電源ラインに設けられ、手動操作される第１スイッチと、前記第１スイッチがオンされたことに基づいて、前記直流電源から前記第１のヒータへ給電状態にするとともに、前記商用交流電源から前記第２のヒータへ給電状態にし、前記第１スイッチがオフされたことに基づいて、前記第１ヒータ及び前記第２ヒータを非給電状態にする切替手段と、を有することを特徴とする。
【発明の効果】
【０００９】
本発明によれば、環境ヒータとして、ＤＣヒータとＡＣヒータを採用し、ＤＣヒータとＡＣヒータへの給電や給電停止を共通のスイッチで動作させることができ、操作性を向上できる。
【図面の簡単な説明】
【００１０】
【図１】画像形成装置の構成図
【図２】第一の実施例における画像形成装置における制御ブロック図
【図３】画像形成装置の制御フローチャート
【図４】ＡＣヒータ／ＤＣヒータをそれぞれの温度リップル及び制御状態素子の状態
【図５】環境スイッチがオンした後の動作タイミングチャート
【図６】環境スイッチがオフした後の動作タイミングチャート
【図７】環境スイッチオン中におけるＡＣヒータの非給電時における動作タイミングチャート
【図８】省電力モード復帰時における制御フローチャート
【発明を実施するための形態】
【００１１】
以下、図面を参照して本発明の実施形態を説明する。
【００１２】
図１は本実施形態における画像形成装置の斜め背面側から見た場合の構成を説明する斜視図である。画像形成装置１は、画像エンジン部１０１、画像読取部１０２、原稿給送部１０３を有している。エンジン部１０１の背面右下部には、商用交流電源を引き込む為のＡＣコード１０４が設けられており、仕向け地によってプラグ形状が異なる。商用交流電源はＡＣコード１０４とインレット１０５とを介して装置に給電される。商用交流電源は本体電源１１８に供給される。
【００１３】
本実施形態の画像形成装置１は、後述の通常電力モードから省電力モードへ移行可能な構成である。本体電源１１８は、画像形成装置１が省電力モード時にも動作する制御回路用電源ＶＡ２０１と、省電力モード時以外のモードにおいて動作する負荷駆動用電源２０５によって構成されている（詳細は後述する）。制御回路用電源ＶＡ２０１と負荷駆動用電源２０５は、商用交流電源が供給されるとＤＣ電源としての直流電圧を出力し、電源配電部であるリレーボード１１６を通じて、システムコントローラ１１７やモータやソレノイドなどの駆動負荷（不図示）に供給される。画像形成部１２５は、周知の電子写真方式の画像形成手段であり、感光体、露光走査装置、帯電装置、現像装置、転写装置、クリーニング装置等を含み、給紙カセット１２４から給送される記録紙に転写されるべきトナー像を形成する。システムコントローラ１１７が画像形成装置１の動作を制御する。詳細については後述する。
【００１４】
電力モード切替スイッチ１２３は通常電力モードから省電力モードへの移行や省電力エネモードから通常電力モードへの復帰を指示するためのスイッチであり、利用者が電力モード切替スイッチ１２３の押下により画像形成装置の電力モードを切替えることができる。ヒータ１１１ａ、１１１ｂ、１１１ｃは、それぞれ所定の抵抗値Ｒｈａ、Ｒｈｂ，Ｒｈｃを有する抵抗体で、供給される電圧により発熱量（消費電力）が決定される。ヒータ１１１ａは直流電圧が印加されて発熱するＤＣヒータであり、ヒータ１１１ｂ、１１１ｃは交流電圧が印加されて発熱するＡＣヒータである。
【００１５】
本実施形態では、ヒータ１１１ａは感光体を含む画像形成部１２５周辺を加熱し、ヒータ１１１ｂは画像読取部１０２の内部を加熱し、ヒータ１１１ｃは記録紙が収納されている給紙カセット１２４周辺を加熱する。これらのヒータは、環境スイッチ１２２がオンされると通電される。尚、環境スイッチ１２２は利用者により手動操作される。
【００１６】
次に、図２に図１に示した画像形成装置の制御構成を示したブロック図を示す。
【００１７】
画像形成装置１のＡＣコード１０４のプラグが商用電源コンセントに接続されると、商用交流電源が制御回路用電源ＶＡ２０１に供給され、その制御回路用電源（ＶＡ）２０１からシステムコントローラ１１７に電力が供給される。
【００１８】
システムコントローラ１１７は、省電力モード時及び省電力モード以外のモードである通常電力モードにおいても動作している制御回路Ａ２０２と、通常電力モードにおいて動作し、省電力モードでは動作しない制御回路Ｂ２０３を有する。通常電力モードは、画像形成の開始を待機しているときのスタンバイモードと画像形成を行っている画像形成動作モードのときの電力モードであり、省電力モード時よりも消費電力が大きい。
【００１９】
システムコントローラ１１７は、内部のＲＯＭに格納された制御プログラムに従って画像形成装置の動作を制御する。また、システムコントローラ１１７は、処理中のデータを格納するＲＡＭや電源オフ時や省電力モード時にデータを保持する不揮発性メモリを有している。また、システムコントローラ１１７は、電力モード切替スイッチ１２３からの信号を入力したり、Ｉ／Ｏポート１８０を介して各種センサからの信号、モータ等の負荷の駆動信号を入出力している。なお、画像形成装置が設置されている環境の温度及び湿度を検知する環境センサ１９０がＩ／Ｏポート１８０に接続されている。
【００２０】
リレー２０４は制御回路Ａ２０２によりオンオフ制御され、オン状態で負荷駆動用電源２０５に電力を供給し、オフ状態で電力供給を停止する。
【００２１】
ＡＣヒータ（環境ヒータ１１１ｂ、１１１ｃ）への交流電源ラインには環境スイッチ１２２が設けられている。スイッチ状態検知回路２５１は、環境スイッチ１２２がオン状態かオフ状態かを検知し、環境スイッチ１２２がオンであれば、トランジスタ２５２を介して、ＡＮＤゲート２５９へハイレベルの信号が供給される。
【００２２】
環境ヒータ１１１ａへの直流電源ラインには、信号によりオンオフされるＦＥＴ２０７が設けられている。環境スイッチ１２２がオンの時に制御回路Ａ２０２がＡＮＤゲート２５９へハイレベルの信号２６４を出力すると、ＡＮＤゲート２５９の入力がともにハイレベルになる。従って、ＦＥＴ２０７がオンし、ヒータ１１１ａへ制御回路用電源２０１から給電される。
【００２３】
環境スイッチ１２２がオンの時に制御回路Ｂ２０３がハイレベルの信号２６２を出力すると、トランジスタ２５３，２５５を介してフォトインタラプタ２５７が導通し、トライアック２３１によりヒータ１１１ｂへの給電が制御される。同様に、環境スイッチ１２２がオンの時に制御回路Ｂ２０３がハイレベルの信号２６３を出力すると、トランジスタ２５４，２５６を介してフォトインタラプタ２５８が導通し、トライアック２３２によりヒータ１１１ｃへの給電が制御される。
【００２４】
環境スイッチ１２２がオフのときは、トランジスタ２５２がオフになるので、環境ヒータ１１１ａ、１１１ｂ、１１１ｃはともに非給電状態になる。
【００２５】
なお、通常は、制御回路Ａ２０２はハイレベルの信号２６４を常時出力しており、制御回路Ｂ２０３は起動した後常時ローレベルの信号２６２，２６３を出力している。従って、環境スイッチ１２２の操作で、環境ヒータ１１１ａ、１１１ｂ、１１１ｃへの給電及び給電停止が可能となる。
【００２６】
ヒータ１１１ａ、１１１ｂ、１１１ｃには、それぞれ温度制御部２２０，２２１，２２２が設けられている。温度制御部の詳細は後述する。
【００２７】
次に、図３に示す制御フローチャートにより、本画像形成装置の動作概略を説明する。
【００２８】
まず、商用交流電源により給電が開始されると、制御回路用電源ＶＡ２０１からシステムコントローラ１１７に電力が供給され、システムコントローラ１１７が起動する。システムコントローラ１１７は、負荷駆動用電源２０５の起動や画像形成装置の状態確認および各種調整といった各種処理を実行する起動シーケンスを行ない（Ｓ３０１）、画像形成装置１をスタンバイモードへ状態遷移させる（Ｓ３０２）。
【００２９】
その後、外部のコンピュータや、画像読取部１０２に設けられた操作部から画像形成要求が入る（Ｓ３０３）と、システムコントローラ１１７は、画像形成動作を行わせ（Ｓ３０４）、画像形成終了後に再びスタンバイモードへと移行させる（Ｓ３０２）。画像形成要求がない場合、電力モード切替スイッチ１２３の押下等により省電力モード移行要因が入力される（Ｓ３０５）と、システムコントローラ１１７は後述する省電力モード移行シーケンスを実施し（Ｓ３０６）、省電力モードへと状態推移する（Ｓ３０７）。
【００３０】
その後、電力モード切替スイッチ１２３の押下等により省電力モード復帰要因が入力される（Ｓ３０８）と、システムコントローラ１１７は、後述する省電力モード復帰シーケンスを実施し（Ｓ３０９）、スタンバイモードへと移行する。
【００３１】
システムコントローラ１１７は、電力モード切替スイッチ１２３の押下等の省電力モードへの移行要因が発生すると、制御回路Ｂ２０３の停止制御、リレー２０４をオフすることによる負荷駆動用電源２０５の停止制御を行う。また、省電力モードからの復帰要因が発生すると、システムコントローラ１１７は、制御回路Ｂ２０３の起動制御、リレー２０４をオンすることによる負荷駆動用電源２０５の起動制御を行う。
【００３２】
省電力モード復帰要因としては、前述の電力モード切替スイッチ１２３の押下の他に、外部のコンピュータからのからの画像形成要求等がある。また、省電力モード移行要因としては、他に、一定時間画像形成要求がないこと等がある。
【００３３】
本実施形態では、環境スイッチ１２２がオン状態の時のみ環境ヒータ１１１ａ〜１１１ｃへの給電が可能となっている。しかし、上述した通常電力モードでは、環境スイッチ１２２がオンのままでも、システムコントローラ１１７が各環境ヒータを個別にオフするようにもできる。即ち、システムコントローラ１１７は、信号２６４をローレベルにすると、ヒータ１１１ａがオフし、信号２６２をハイレベルにすると、ヒータ１１１ｂがオフし、信号２６３をハイレベルにするとヒータ１１１ｃがオフする。個別オフ制御の詳細については後述する。
【００３４】
負荷駆動用電源２０５には、画像読取動作、および画像形成動作に必要な駆動負荷（不図示）、検出素子およびそれらを制御する制御ユニット（不図示）が接続されている。
【００３５】
環境スイッチ１２２がオフである時は、ヒータ１１１ａへ給電する制御回路用電源ＶＡ２０１が動作せず、また、ヒータ１１１ｂ、１１１ｃへの給電を行うリレー２２４がオンされない。従って、環境スイッチ１２２がオフされると、環境ヒータであるヒータ１１１ａ、１１１ｂ、１１１ｃへの給電が遮断される。
【００３６】
続いて図４を用いて、ヒータ１１１ａ，１１１ｂにおける温度状態を示す。ここで、ヒータ１１１ｃは、１１１ｂと類似の動作を行う為、説明を割愛する。
【００３７】
本実施形態では、ヒータ１１１ｂ、１１１ｃには温度制御部２２１、２２２が備えられており、サーマルリードスイッチを代表とする温度制御手段が取り付けられている。サーマルリードスイッチは、自身の温度が所定温度Ｔ２以下の時にはヒータ１１１ｂを通電し、ヒータ１１１ｂへの通電により、ヒータ１１１ｂにより暖められた温度制御部２２１の温度が所定の温度Ｔ１に達すると、ヒータ１１１ｂへの通電を遮断する。サーマルリードスイッチは更に、、温度制御２２１の温度が再びＴ１ヒータより低い温度Ｔ２に達すると再度ヒータ１１１ｂへの通電を行う。通常Ｔ１とＴ２は５℃程度温度差を持つ。温度制御部２２１，２２２はシステムコントローラ１１７とは独立に環境ヒータ１１１ｂ、１１１ｃの加熱状態を制御できる。
【００３８】
ヒータ１１１ｂは、入力電圧Ｖｉｎによりヒータの発熱量が変化し、ヒータの抵抗がＲｈｂの場合、ヒータの発熱量は（Ｖｉｎ）２／Ｒｈｂとなる。
【００３９】
図４（ａ）に、ＡＣコード１０４に入力される電圧が９０Ｖ、１００Ｖ、１１０Ｖにおけるヒータ１１１ｂの温度遷移と、ヒータ１１１ｂの雰囲気の温度遷移を示す。ヒータの温度推移はＴ１とＴ２の間の３つの曲線で、ヒータにより温められる画像読取部の雰囲気の温度はＴ２の下部にある３つの曲線で示す。それぞれの電圧における温度遷移は図中に示されたとおりであり、９０Ｖが入力された場合、ヒータの発熱量は１００Ｖ入力に対して約２割少なくなり、１１０Ｖが入力された場合、ヒータの発熱量は１００Ｖ入力に対して約２割多くなる。この為画像読取部の雰囲気の平均温度及び温度リップルは、商用交流電源の電圧変動応じて変動するため、安定した温度制御が困難である。
【００４０】
しかしながら、ヒータ１１１ｂ及びヒータ１１１ｃが設置される画像読取部１０２や給紙カセット１２４は、温度リップルや平均温度が変化してもその性能への影響が軽微である。そのため、画像形成装置１に入力される定格の電圧（たとえば１００Ｖ，１２０Ｖ，２４０Ｖ）に応じて同程度の発熱量（消費電力）となる環境ヒータを設置すれば良い。
【００４１】
ヒータ１１１ａが配置される画像形成部（１２５）には、前述したとおり感光体ドラムや現像装置が備えられている為、必要以上に温度が上がるとトナーが凝集してしまう為、例えば画像形成部の温度を４０℃よりも低く保つ必要がある。その一方で、現像器内のトナー帯電量の安定・結露の防止等、適正な画像形成を行うには画像形成部の温度を３５℃程度に保てば良い。
【００４２】
ＤＣ電源である制御回路用電源２０１は、その出力電圧が定電圧となるように制御されているので、出力電圧が安定している。そのため、ヒータ１１１ａへの給電を省電力モードでも動作している制御回路電源２０１から行うことにより、ヒータ１１１ａの温度リップルを小さくすることができる。
【００４３】
例えば本実施形態で用いられる制御回路用電源ＶＡ２０１は５Ｖ±２％の精度で出力が可能であり、該電源に入力される商用交流電源の電圧変動に依存しない。
【００４４】
図４（ｂ）にヒータ１１１ａの温度推移、図４（ｃ）に後述する制御回路Ａ２０２Ａによりオンオフ制御されるＦＥＴ２０７の状態を示す。
【００４５】
ヒータ１１１ａの発熱量は、制御回路用電源ＶＡ２０１の電圧Ｖａと、ヒータ１１１ａの抵抗値Ｒｈａにより（Ｖａ）２／Ｒｈａとなる。制御回路用電源ＶＡ２０１の電圧Ｖａは該電源に入力される商用交流電源の電圧に依存しない為、安定した発熱量が確保されるため、温度リップルも小さく、平均温度も安定化させることが可能である。
【００４６】
図５〜図７のタイミングチャートにて環境ヒータ１１１ａ〜１１１ｃの動作説明を行う。なお、以下の説明では、信号のローレベルをＬレベル、ハイレベルをＨレベルと記載する。
【００４７】
図５は、環境スイッチ１２２がオフからオンになった後の図２の各部の状態のタイムチャートである。環境スイッチ１２２がオンになると、スイッチ状態検知回路２５１がＬレベルのスイッチ検知信号２６１を出力し、トランジスタ２５２の出力がＨレベルになる。トランジスタ２５２の出力がＨレベル、かつ制御回路Ａ２０２よりＨレベルのＤＣヒータ制御信号２６４を出力する場合、ＡＮＤ回路２５９の出力がＨレベルになる（ＦＥＴ２０７がＯＮする）ことで、ヒータ１１１ａの給電が可能となる。また、トランジスタ２５２の出力がＨレベルになると、トランジスタ２５５、２５６、フォトカプラ２５７、２５８、トライアック２３１、２３２がそれぞれオンとなることでヒータ１１１ｂ、１１１ｃへの給電が可能となる。
【００４８】
図６は、環境スイッチ１２２がオンからオフになった後の図２の各部の状態のタイムチャートである。環境スイッチ１２２がオフになると、スイッチ状態検知回路２５１はＨレベルのスイッチ検知信号２６１を出力し、トランジスタ２５２の出力がＬレベルになる。トランジスタ２５２の出力がＬレベルの場合、ＡＮＤ回路２５９の出力がＬレベルになる（ＦＥＴ２０７がＯＦＦする）ことで、ヒータ１１１ａの給電が停止される。また、トランジスタ２５２の出力がＬレベルになると、トランジスタ２５５、２５６、フォトカプラ２５７、２５８、トライアック２３１、２３２がそれぞれオフになり、ヒータ１１１ｂ、１１１ｃの給電が停止される。
【００４９】
図７は、環境スイッチ１２２がオン状態の時に、制御回路ＢがＨレベルのヒータ１１１ｂＯＦＦ信号２６２、ヒータ１１１ｃＯＦＦ信号２６３を出力すると、トランジスタ２５３、２５４がオンする。それにより、トランジスタ２５５、２５６、フォトカプラ２５７、２５８、トライアック２３１、２３２がオフすることで、ヒータ１１１ｂ、１１１ｃの給電が停止される。なお、ヒータ１１１ａの給電状態はシステムコントローラ１１７が出力するＤＣヒータ制御信号２６４の状態で決まり、Ｈレベルであれば給電状態になりＬレベルであれば非給電状態になる。
【００５０】
図８はシステムコントローラ１１７が実行する省電力モード復帰シーケンスにおけるヒータ１１１ａ〜１１１ｃの温度制御を説明を行う。
【００５１】
省電力モード復帰シーケンスは、前述した省電力モードからの復帰要因が発生したときに実行されるシーケンスである。システムコントローラ１１７は省エネモードからの復帰要因の有無を判断する（Ｓ５０１）。復帰要求が無い場合は、システムコントローラ１１７はＨレベルのＤＣヒータ制御信号２６４を出力し（Ｓ５０２）、ステップＳ５０１に戻る。Ｓ５０２において、環境スイッチ１２２がＯＮ状態の場合はＦＥＴ２０７がＯＮし、ヒータ１１１ａに商用交流電源が給電される。ヒータ１１１ａにも、ヒータ１１１ｂ、１１１ｃと同様の温度制御部２２０が備えられている。温度制御部２２０は、通電、非通電を切り替える温度が異なる以外は温度制御部２２１，２２２と同様の構成であり、ヒータ１１１ａは温度制御部２２０により、システムコントローラ１１７を介さずに温度制御が行われる。
【００５２】
省電力モードからの復帰要因があった場合、システムコントローラ１１７は制御回路Ｂ２０３を起動し、画像形成に備え（Ｓ５０３）、その後リレー２０４をオンする信号を出力する（Ｓ５０４）。これにより、負荷駆動用電源２０５が起動する。
【００５３】
次に、システムコントローラ１１７はヒータ１１１ａの温度制御が必要か否か判断する（Ｓ５０５）。この処理は、環境ヒータを動作させる目的である結露等が発生する状況か否かにより判定される。画像形成装置１の周囲の環境が所定範囲内、例えば、２０度±５度、湿度４０％前後であれば、環境ヒータ１１１ａの温度制御は不要である。ここで、システムコントローラ１１７はヒータ１１１ａの温度制御が必要な環境状態であると判断すると、ＨレベルのＤＣヒータ制御信号２６４を出力する（Ｓ５０６）。ヒータ１１１ａの温度制御が不要な場合、システムコントローラ１１７はＬレベルのＤＣヒータ制御信号２６４を出力する（Ｓ５０７）。これにより、ヒータ１１１ａへの給電が停止される。なお、システムコントローラ１１７は、温度制御が必要か否かを環境センサ１９０により検知される温度及び湿度に基づいて判断する。
【００５４】
続いて、システムコントローラ１１７はヒータ１１１ｂの温度制御が必要な環境か否か判断し（Ｓ５０８）、不要な場合はＨレベルのＡＣヒータ１ＯＦＦ信号２６２を出力する（Ｓ５０９）。これにより、ヒータ１１１ｂへの給電が停止される。続いて、システムコントローラ１１７はヒータ１１１ｃの温度制御が必要な環境か否か判断し（Ｓ５１０）、不要な場合はＨレベルのＡＣヒータ２ＯＦＦ信号２６３を出力する（Ｓ５０９）。こてにより、ヒータ１１１ｃへの給電が停止される。以上で、省電力モード復帰シーケンスが終了する。
【００５５】
上述したように、本実施形態によれば、温度リップルが小さいことが必要な個所にはＤＣヒータを採用し、そうでない個所にはＡＣヒータを採用している。また、１つの環境スイッチ１２２の操作により、ＤＣヒータとＡＣヒータの両方の給電や給電停止を制御でき、操作性が向上する。
【００５６】
上述した実施形態では、システムコントローラ１１７が環境ヒータを個別に強制オフすることできる構成とした。しかし、各環境ヒータに設けた温度制御部によるオンオフ制御で十分であれば、ＦＥＴ２０７，ＡＮＤゲート２５９、トランジスタ２５３，２５４等は不要となり、コストダウンが可能となる。
【符号の説明】
【００５７】
１０１  画像エンジン部
１０２  画像読取部
１１１ａ、１１１ｂ、１１１ｃ  環境ヒータ
１１７  システムコントローラ
１１８  本体電源
１２２  環境スイッチ
１２３  電力モード切替スイッチ
１２４  給紙カセット
１２５  画像形成部
２０１  制御回路用電源ＶＡ
２０２  制御回路Ａ
２０３  制御回路Ｂ
２０４  リレー
２０５  負荷駆動用電源
２０７  ＦＥＴ
２２０〜２２２  温度制御部
２５１  スイッチ状態検知回路
２６２  ヒータ１１１ｂＯＦＦ信号
２６３  ヒータ１１１ｃＦＦ信号
２６４  ＤＣヒータ制御信号
【図１】
0006643017.tif 000002
【図２】
0006643017.tif 000003
【図３】
0006643017.tif 000004
【図４】
0006643017.tif 000005
【図５】
0006643017.tif 000006
【図６】
0006643017.tif 000007
【図７】
0006643017.tif 000008
【図８】
0006643017.tif 000009